(57)【特許請求の範囲】
【請求項１】
供給される糞尿流体を曝気処理する少なくとも１個の曝気処理槽を備え、
この曝気処理槽は、ステンレスによって造られ、
前記曝気処理槽内底部付近には、曝気レータと空気供給装置とが配置され、
前記曝気処理槽の上部には、供給される糞尿流体を拡散する糞尿流体拡散部と、発生した泡を消泡して生じる曝気処理糞尿流体を出力する糞尿流体出力部が配置されており、
この糞尿流体出力部は、筒状であり、曝気処理されて発泡した糞尿流体を流体化して出力し、
前記糞尿流体拡散部は、回転構造である
ことを特徴とする糞尿処理装置。
【請求項２】
請求項１において、
前記曝気処理槽は、露出したほぼ全面にわたって保温材によって被覆されていることを特徴とする糞尿処理装置。
【請求項３】
請求項１において、
前記糞尿流体出力部は、前記曝気処理槽の上部にほぼ垂設された筒状体からなることを特徴とする糞尿処理装置。
【請求項４】
請求項１において、
前記曝気処理槽は、従属配置された第１および第２の曝気処理槽からなることを特徴とする糞尿処理装置。
【請求項５】
請求項１において、
前記曝気処理槽は、水を散水する少なくとも１個の散水ノズルを有することを特徴とする糞尿処理装置。
【請求項６】
請求項４において、
前記第１の曝気処理槽には、曝気レータが前記曝気処理槽底部に配置され、
前記第２の曝気処理槽には、前記第１の曝気処理槽の出力部から送られた糞尿流体を貯留するとともに消泡手段および追加の曝気処理手段を有することを特徴とする糞尿処理装置。
【請求項７】
請求項６において、
前記第２の曝気処理槽は、泡の侵入を防ぎ、かつ追加の曝気処理が行われた糞尿流体を出力する出力部をさらに備えており、
この出力部には、後段に曝気処理した糞尿流体を送るポンプ手段が設けられていることを特徴とする糞尿処理装置。
【請求項８】
請求項１または６において、
前記曝気処理槽の上部に配置された糞尿流体出力部は、前記曝気処理槽で発生した泡を導く筒状ガイド部と、このガイド部の上端あるいはその上方に設けられた消泡部と、この消泡部で消泡されて生じる曝気処理流体を出力する出口部とを有することを特徴とする糞尿処理装置。
【請求項９】
請求項８において、
前記糞尿流体出力部は、ガス排気口を有することを特徴とする糞尿処理装置。
【請求項１０】
請求項８または９において、
前記曝気処理槽は、曝気処理部と、この曝気処理部の内部下方にある糞尿流体を前記糞尿流体拡散部に導くポンプ手段を有する出力部とを備え、
前記糞尿流体出力部は、前記曝気処理部に設けられていることを特徴とする糞尿処理装置。
【請求項１１】
請求項１０において、
前記曝気処理槽は、曝気処理部および出力部の底部に断面が上方に向かって解放するテーパをもった溝を有することを特徴とする糞尿処理装置。
【請求項１２】
請求項８ないし１１のいずれか１つにおいて、
前記糞尿流体出力部は、回転消泡部を有することを特徴とする糞尿処理装置。
【請求項１３】
請求項８ないし１２のいずれか１つにおいて、
前記曝気処理槽は、前記曝気処理槽内の糞尿流体を加熱する加熱装置を有することを特徴とする糞尿処理装置。
【請求項１４】
請求項１３において、
前記曝気処理槽は、底部に加熱媒体を収容する加熱流路を有し、前記加熱装置は、この加熱流路に収容された加熱流体を加熱して曝気処理槽内を加熱することを特徴とする糞尿処理装置。
【請求項１５】
請求項１において、
前記糞尿流体拡散部は、消泡部材を有することを特徴とする糞尿処理装置。
【請求項１６】
請求項１５において、
前記糞尿流体拡散部は、糞尿流体攪拌部材を有することを特徴とする糞尿処理装置。
【発明の詳細な説明】
【０００１】
【発明の属する技術分野】
本発明は、糞尿処理装置に関する。
【０００２】
【従来の技術】
近年環境保全に関する問題がクローズアップされ、生活環境を壊さない状態で人と動物等が如何に共生化できるかが真剣に議論されるようになってきた。その際、人の排泄物はもちろんのこと家畜の排泄物の処理についても注目されるようになってきた。
【０００３】
一般に牛、豚、その他の家畜等の糞尿を処理する場合、固形物を除去した後、大型タンクにこの糞尿液を貯留して曝気処理を行うことにより糞尿液の臭いを軽減しかつ微生物の自己分解能を促して酸化発酵処理を行い、所望の曝気糞尿処理液に加工し、これを肥料等に使っている。
【０００４】
【発明が解決しようとする課題】
しかし、このような方法では、曝気処理を行うために粘度の高い糞尿液をタンクに投入すると、糞尿液は曝気処理されずにタンク底部に沈殿してしまい、その結果、微生物の自己分解能を促して酸化発酵処理をする効率が悪くなり、また所定のｐＨ値やＢＯＤ（Biological oxygen demand）値を有する曝気処理糞尿流体に加工するのに時間を要する。
【０００５】
本発明はこのような課題を解決するためになされたもので、その目的とするところは、糞尿流体を後処理で使いやすい所望のｐＨ値やＢＯＤ値等の特性を有した糞尿処理液へ効率よく曝気処理を行うことができる糞尿処理装置を提供することにある。
【０００６】
【課題を解決するための手段】
この課題を解決するために本発明の一形態における糞尿処理装置は、供給される糞尿流体を曝気処理する少なくとも１個の曝気処理槽を備え、この曝気処理槽は、ステンレスによって造られ、曝気処理槽内底部付近には、曝気レータと空気供給装置とが配置され、曝気処理槽の上部には、供給される糞尿流体を拡散する糞尿流体拡散部と、発生した泡を消泡して生じる曝気処理糞尿流体を出力する糞尿流体出力部が配置されており、この糞尿流体出力部は、筒状であり、曝気処理されて発泡した糞尿流体を流体化して出力し、糞尿流体拡散部は、回転構造であることを特徴とする。この糞尿処理装置によれば、糞尿流体が効率的に曝気処理される。また、この糞尿処理装置によれば、糞尿流体拡散部は回転する。
【０００７】
上記糞尿処理装置において、露出した曝気処理槽の外面を保温材で被覆してもよい。この糞尿処理装置によれば、寒冷状況下においても曝気処理の効率を高めることができる。
【０００８】
上記糞尿処理装置において、糞尿流体出力部は、筒状体であり、曝気処理槽の上部にほぼ垂設される。この糞尿処理装置によれば、曝気処理槽で発生した泡は筒状体に導かれる。
【０００９】
上記糞尿処理装置において、曝気処理槽は、従属配置された第１および第２の曝気処理槽から構成されるようにしてもよい。この糞尿処理装置によれば、糞尿流体は２個の曝気処理槽により少なくとも２回曝気処理される。
【００１０】
上記糞尿処理装置において、曝気処理槽は、水を散水する少なくとも１個の散水ノズルを有するようにしてもよい。この糞尿処理装置によれば、曝気処理槽内に水を供給できる。
【００１１】
上記糞尿処理装置において、第１の曝気処理槽には、曝気レータが曝気処理槽底部に配置され、第２の曝気処理槽には、第１の曝気処理槽の出力部から送られた糞尿流体を貯留するとともに消泡手段および追加の曝気処理手段を有するようにしてもよい。この糞尿処理装置によれば、糞尿流体が効率的に曝気処理される。
【００１２】
上記糞尿処理装置において、第２の曝気処理槽は、泡の侵入を防ぎ、かつ追加の曝気処理が行われた糞尿流体を出力する出力部をさらに備え、この出力部に後段に曝気処理した糞尿流体を送るポンプ手段が設けるようにしてもよい。この糞尿処理装置によれば、第２の曝気処理槽で追加の曝気処理をされた糞尿流体は、ポンプ手段により外部に送出される。
【００１３】
上記糞尿処理装置において、曝気処理槽の上部に配置された糞尿流体出力部は、曝気処理槽で発生した泡を導く筒状ガイド部と、このガイド部の上端あるいはその上方に設けられた消泡部と、この消泡部で消泡されて生じる曝気処理流体を出力する出口部とを有するように構成してもよい。この糞尿処理装置によれば、曝気処理槽で発生した泡は、糞尿流体出力部により糞尿処理装置外部に送出される。
【００１４】
上記糞尿処理装置において、糞尿流体出力部は、ガス排気口を有するようにしてもよい。この糞尿処理装置によれば、曝気処理槽内に発生したガスは、ガス排気口により曝気処理槽外部に放出される。
【００１５】
上記糞尿処理装置において、曝気処理槽は、曝気処理部と、この曝気処理部の内部下方にある糞尿流体を糞尿流体拡散部に導くポンプ手段を有する出力部とを備え、糞尿流体出力部は曝気処理部に設けるように構成してもよい。この糞尿処理装置によれば、糞尿流体は、曝気処理槽内部を循環して曝気処理される。
【００１６】
上記糞尿処理装置において、曝気処理槽は、曝気処理部および出力部の底部に断面が上方に向かって解放するテーパをもった溝を有するようにしてもよい。この糞尿処理装置によれば、糞尿流体は溝に案内される。
【００１７】
上記糞尿処理装置において、糞尿流体出力部は、回転消泡部を有するようにしてもよい。この糞尿処理装置によれば、糞尿流体出力部導かれた泡は、回転消泡部により消泡される。
【００１８】
上記糞尿処理装置において、曝気処理槽は、曝気処理槽内の糞尿流体を加熱する加熱装置を有するようにしてもよい。この糞尿処理装置によれば、寒冷下においてでも曝気処理が行える。
【００１９】
上記糞尿処理装置において、曝気処理槽は、底部に加熱媒体を収容する加熱流路を有し、加熱装置は、この加熱流路に収容された加熱流体を加熱して曝気処理槽内を加熱するようにしてもよい。この糞尿処理装置によっても、寒冷下において曝気処理が行える。
【００２１】
上記糞尿処理装置において、糞尿流体拡散部は、消泡部材を有するようにしてもよい。この糞尿処理装置によれば、曝気処理槽内部に発生した泡は、消泡部材により消泡される。
【００２２】
上記糞尿処理装置において、糞尿流体拡散部は、糞尿流体攪拌部材を有するようにしてもよい。この糞尿処理装置によれば、曝気処理槽内部の糞尿流体は、糞尿流体攪拌部材により攪拌される。
【００２３】
【発明の実施の形態】
以下、本発明の実施の形態について図面を参照して詳細に説明する。
図１〜９は、本発明の糞尿処理装置を示す概略図である。
【００２４】
図１に示すように本発明の糞尿処理装置は、糞尿流体の曝気処理を行う第１曝気処理槽１、第２曝気処理槽２、曝気処理された糞尿流体を所定の特性を有した状態で貯留する第１熟成槽３、第２熟成槽４、固液分離された糞尿流体を投入する前貯留槽５、曝気処理液を貯留する外部貯留槽６、処理槽全体の制御を司る制御装置７から構成されている。
【００２５】
第１曝気処理槽１について説明する。図２に示すように、箱体１０は、隔壁１９により内部を曝気処理部１ａと出力部１ｂに仕切られている。曝気処理部１ａの上方には、糞尿流体拡散部１１、糞尿流体出力部１２、１３が配設され、曝気処理部１ａの内部下方には、曝気レータ１５と空気供給装置１６が配設されている。出力部１ｂの上方には点検ハッチ１４が、出力部１ｂの内部下方には、ポンプ１７が設置されている。箱体１０の底部には、加熱流路１８が設けられており、箱体１０の露出した外面は保温材２０により被覆されている。
【００２６】
箱体１０は、全体としては直方体であり、断面は上部および下部に凸部を備えた矩形である。この箱体１０内部は、隔壁１９により曝気処理部１ａと出力部１ｂに仕切られている。そして、箱体１０は、接触する流体と化学反応せずに長期にわたって腐食が起きない材料であるステンレスから構成されている。
曝気処理部１ａに発生した泡は、箱体１０上部に設けられた凸部により糞尿流体出力部１２、１３に案内される。箱体１０下部に設けられた溝は、曝気処理された糞尿流体の流体成分のみをポンプ１７に案内するのを容易にする。
なお、箱体１０上部の凸部を糞尿流体出力部１２、１３の方向に傾斜を設けるようにすることができる。これにより、曝気処理部１ａ内部に発生した泡は、効果的に糞尿流体出力部１２、１３に案内される。
【００２７】
糞尿流体拡散部１１は、回転板１１ｄが軸１１ｇにより曝気処理部１ａ上部より垂下されており、この軸１１ｇはモーター１１ｅに取り付けられている。
図１に示すようにパイプ１１ａは、出力部１ｂに配設されたポンプ１７のパイプ１７ｂに接続されている。これにより第１曝気処理槽１内部の糞尿流体は、第１曝気処理槽１内部を循環して連続的に曝気処理が施される。また、パイプ１１ａは、後述する前貯留槽５から導出されているパイプ５３ｂにも接続されており、前貯留槽５に投入された糞尿流体はパイプ１１ａを経由して第１曝気処理槽に送出される。
【００２８】
パイプ１１ｂは、後述する第２曝気処理槽から導出されているパイプ２６ｂに接続されている。これにより、第２曝気処理槽２内の糞尿流体を、パイプ１１ｂを経由して再び第１曝気処理槽１に送ることができるので、糞尿流体を第１曝気処理槽１と第２曝気処理槽２との間を循環させて連続的に曝気処理が行える。
【００２９】
引き込み管１１ｃは、パイプ１１ａと１１ｂに接続され、このパイプ１１ａ、１１ｂから送られてきた糞尿流体を、下端部に設けられた複数の孔から回転板１１ｄに向けて放出する。中心から周縁に向かって傾斜した略円錐形状を有しかつモーター１１ｅにより回転している回転板１１ｄに衝突した糞尿流体は、曝気処理部１ａ内に効果的に拡散される。
なお、本実施の形態において回転板１１ｄは、略円錐状であるが、円盤状や適当な長さのストライプを放射状に配置したものでもよい。また、これらの回転板に無作為に孔やストッパを設けてもよい。このような構成にすることによっても、糞尿流体は曝気処理部１ａ内に効果的に拡散される。孔とストッパは切り起こしによって形成される。
【００３０】
本実施の形態において糞尿流体拡散部１１に引き込み管１１ｃが設けられているが、この引き込み管１１ｃは設けられていなくてもよい。パイプ１１ａおよびパイプ１１ｂから送られてくる糞尿流体を、曝気処理部１ａ上部から直接回転板１１ｃに落とし込むようにしてもよい。また、回転板１１ｃに糞尿流体が確実に衝突するようガイド等を設けるようにすることもできる。
【００３１】
本実施の形態において糞尿流体拡散部１１には、回転板１１ｃの下面に突起等から構成される消泡部材を設けることもできる。この消泡部材により曝気処理部１ａ内部に発生した泡を効果的に消泡できる。
また、糞尿流体拡散部１１は、回転板１１ｃの下部から糞尿流体中まで延びた棒等からなる糞尿流体攪拌部材を設けることができる。この糞尿流体攪拌部材により曝気処理部１ａ内部の糞尿流体は、効果的に攪拌され曝気処理の効率が向上する。なお、この糞尿流体攪拌部材は、箱体１０に上下を固定した軸に取り付けることにより設置される。
【００３２】
上述した糞尿流体拡散部１１のそれぞれの部品は、公知の材料から構成される。
【００３３】
曝気レータ１５は、空気供給装置１６に接続されており、図２に示すように曝気処理部１ａ下方の中央付近に配設されている。空気供給装置１６は、筒の形状を有し、その表面に複数の空気供給口１６ａが形成され、曝気処理部１ａ下方に配設されている。空気供給装置１６の一端は箱体１０の外部に導出され、後述する制御装置７の空気供給口７ｈに接続されている。また、空気供給装置１６は曝気レータ１５にも接続されている。このように第１曝気処理槽１内部に曝気レータ１５に加えて空気供給装置１６を設けることにより、糞尿流体中に空気が十分に供給されて、糞尿流体は効果的に曝気処理される。
なお、曝気レータ１５は、箱体１０外部に導出された空気導入管を設け、この空気導入管から空気を取り込むようにしてもよい。
【００３４】
ポンプ１７は、ポンプ部１７ａとパイプ１７ｂから構成され、パイプ１７ｂは、片方の端部はポンプ部１７ａに接続され、もう片方の端部は箱体１０外部に導出されて、パイプ１１ａに接続される。これにより、糞尿流体は第１曝気処理槽内を循環し、連続的に曝気処理が施される。
上述した点検ハッチ１４、曝気レータ１５、空気供給装置１６およびポンプ１７のそれぞれの部品は、公知の材料から構成される。
【００３５】
加熱流路１８は、流路１８ａ、入力パイプ１８ｂ、出力パイプ１８ｃから構成され、箱体１０底部に配設されている。入力パイプ１８ｂは、片方の端部は流路１８ａに接続され、もう片方の端部は後述する制御装置７の流体出力口６６に接続されている。出力パイプ１８ｃは、片方の端部は流路１８ａに接続され、もう片方の端部は後述する制御装置７の流体入力口６７に接続されている。
この加熱流路１８により第１曝気処理槽１内部の糞尿流体は加熱され、寒冷下であっても曝気処理が行える。
【００３６】
隔壁１９は、図３に示すように板状の形状を有し、孔１９ａ、通気孔１９ｂが形成されており、箱体１０内部を曝気処理部１ａと出力部１ｂに仕切っている。隔壁１９が孔１９ａを有していることにより、曝気処理部１ａ底部に貯留した糞尿流体は、出力部１ｂに移動して、ポンプ１７により糞尿流体拡散部１１から曝気処理部１ａ内部に拡散される。
また、この孔１９ａは、曝気処理部１ａ内の泡が出力部１ｂ内部に侵入するのを防ぐ。これによりポンプ１７は、糞尿流体のみを曝気処理槽１ａに送出することができる。
なお、この隔壁１９に設けられている孔１９ａ、通気孔１９ｂの形状および数量はこれに限定されず必要に応じて自由に変形、変更することができる。
【００３７】
糞尿流体出力部１２、１３は、箱体１０上部に垂設された筒状ガイド部１２ａ、１３ａの上部に上端部１２ｂ、１３ｂが設けられ、この上端部１２ｂ、１３ｂには消泡部１２ｃ、１３ｃが内設されている。また、上端部１２ｂ、１３ｂの側壁には出口部１２ｄ、１３ｄとガス出力部１２ｅ、１３ｅが設けられ、それぞれはパイプ１２ｇ、１３ｇに接続されている。パイプ１２ｇ、１３ｇの片方の端部にはガス排気口１２ｆ、１３ｆが設けられ、もう片方の端部は第２曝気処理槽２に接続されている。
【００３８】
筒状ガイド部１２ａ、１３ａを通ってきた泡は、円錐状の消泡部１２ｃ、１３ｃにより液化され、液化した糞尿流体は出口部１２ｄ、１３ｄに滴下し、パイプ１２ｇ、１３ｇから第２曝気処理槽２に送出される。
この消泡部１２ｃ、１３ｃは、図４に示すように車輪１２ｈを設けるようにしてもよい。この車輪１２ｈを設けることにより消泡部１２ｃ、１３ｃは回転して泡を効果的に消すことができる。
なお、本実施の形態において消泡部１２ｃ、１３ｃは円錐状であるが、消泡部１２ｃ、１３ｃの形状はこれに限定されず、例えば円盤状、棒状等に必要に応じて変形することができる。また、消泡部１２ｃ、１３ｃには孔や突起等を設けることができる。これにより曝気処理により発生した泡は、効果的に消される。
【００３９】
ガス排気口１２ｆ、１３ｆは、筒の形状を有し、パイプ１２ｇ、１３ｇの上端に接続されている。このガス排気口１２ｆ、１３ｆを設けることにより、消泡部１２ｃ、１３ｃにより液化された糞尿流体がパイプ１２ｇ、１３ｇから効率的に出力される。
上述した糞尿流体出力部１２、１３のそれぞれの部品は、公知の材料から構成される。
【００４０】
次に、第２曝気処理槽２について説明する。図４に示すように箱体２１は、隔壁２８により内部を曝気処理部２ａと出力部２ｂに仕切られている。曝気処理部２ａの上部には、パイプ１２ｇ、１３ｇが接続されかつ糞尿流体出力部２２設けられている。曝気処理部２ａ内部上方には散水部２３が、曝気処理部２ａ下方には曝気処理手段２４、ポンプ２５が配設されている。出力部２ｂには、その内部中央付近に加熱装置２７が、底部にはポンプ２６が設置されている。箱体２１の外面は保温材２９により被覆されている。
【００４１】
箱体２１は、直方体状であって、その内部は隔壁２８により曝気処理部２ａと出力部２ｂに仕切られている。曝気処理部２ａ上部に接続されているパイプ１２ｇ、１３ｇは、図２において矢印で示した糞尿流体出力部１２、１３から送出される糞尿流体を曝気処理部２ａ内部に送出する。箱体２１は、箱体１０と同様に長期にわたって腐食が起きない材料であるステンレスから構成されている。
【００４２】
糞尿流体出力部２２は、前述した糞尿流体出力部１２、１３と同等の構成をなしており、同じ機能を有するものは同じ名称を使っており、したがって説明は適宜省略する。
パイプ２２ｇは、片方の端部はガス排気口２２ｆに接続され、もう片方の端部は出力部２ｂ上部に接続されている。糞尿流体出力部２２から出力される糞尿流体は、出力部２ｂへ送出される。
【００４３】
散水部２３は、筒の形状を有し、その表面に複数の散水ノズル２３ａが形成され、曝気処理部２ａ上方に配設されている。散水部２３の一端は、箱体２１の外部に導出され、制御装置７の流体供給口６８に接続されている。
この散水部２３は、曝気処理部２ａに水を供給して糞尿流体の攪拌を容易にするとともに曝気処理の反応速度を制御する。またこの散水部２３は、曝気処理部２ａに発生した泡を消泡することもできる。
なお、第１曝気処理槽１にも散水部を設けることができる。
【００４４】
曝気処理手段２４は、曝気レータ２４ａとパイプ２４ｂから構成され、曝気処理部２ａ底部に配設されている。第１曝気処理槽１で曝気処理された糞尿流体は、第２曝気処理槽２で再び曝気処理される。
なお、曝気レータ２４ａは、箱体２１外部に導出された空気導入管を設け、この空気導入管から空気を取り込むようにしてもよい。
【００４５】
ポンプ２５は、ポンプ部２５ａとパイプ２５ｂから構成され、曝気処理部２ａ内の糞尿流体を隔壁２８によって隔てられた出力部２ｂに送出する。
ポンプ２６は、ポンプ部２６ａとパイプ２６ｂから構成され、出力部２ｂに貯留された糞尿流体を第１曝気処理槽１あるいは第１熟成槽３に送出する。
【００４６】
加熱装置２７は、外囲器２７ａ、パイプ２７ｂ、入力パイプ２７ｃおよび出力パイプ２７ｄから構成され、箱状の外囲器２７ａ内部にパイプ２７ｂが張り巡らされている。これにより、出力部２ｂに貯留された糞尿流体を必要に応じて加熱する。
なお、本実施の形態において加熱装置２７は、流体等による加熱方式を採用したが、他の公知の媒体を使って間接的に糞尿流体を加熱するものや電気・化学絶縁された公知のヒータを用いてもよい。
【００４７】
隔壁２８は、板状の形状を有し、箱体２１内部を曝気処理部２ａと出力部２ｂに仕切っている。
【００４８】
上述した糞尿流体出力部２２、散水部２３、曝気処理手段２４、ポンプ２５、２６、加熱装置２７、隔壁２８および保温材２９は、公知の材料から構成される。
【００４９】
上述したように本実施の形態において、曝気処理槽が２つ設けられていることは、大量の糞尿流体処理でき、しかも連続的に曝気処理することが可能になる。
【００５０】
次に、第１熟成槽３について説明する。図６に示すように、箱体３０は、隔壁３７により内部を熟成部３ａと熟成部３ｂに仕切っている。熟成部３ａの上部にはパイプ３１が接続され、熟成部３ａ底部にはポンプ３４が設置されている。熟成部３ｂ底部にはポンプ３５が設置されている。また、熟成部３ａおよび３ｂの両方において、内部上方には消泡手段３２が、底部には加熱パイプ３６が設けられている。箱体３８の外部は、保温材３８により被覆されている。
【００５１】
箱体３０は、箱状の形状を有し、その内部は隔壁３８により熟成部３ａと熟成部３ｂに仕切られており、箱体１０、２１と同様ステンレスから構成されている。
【００５２】
パイプ３１は、片方の端部は熟成部３ａ上部に接続され、もう片方の端部は箱体３０外部に導出されてパイプ２６ｂに接続されている。出力部２ｂに貯留された糞尿流体は、パイプ３１を経由して熟成槽３ａに送出される。
【００５３】
散水部３２は、その表面に複数の散水ノズル３２ａが形成され、箱体３０内部に発生した泡を効果的に消泡する。また、散水部３２は、曝気処理流体に水等の流体を供給することにより曝気所流体の曝気処理の反応速度を調整する。散水部３２の一端は、箱体３０の外部に導出され、後述する制御装置７の流体供給口６８に接続されている。
【００５４】
空気供給装置３３は、その表面に複数の空気供給口３３ａが形成され、箱体３０下方に配設されている。これにより曝気処理流体は所定の特性を保った状態で第１熟成槽３内部に貯留される。空気供給装置３３の一端は、箱体３０の外部に導出され、後述する制御装置７の空気供給口６５に接続されている。
【００５５】
ポンプ３４は、ポンプ部３４ａとパイプ３４ｂから構成され、箱体３０下方に配設されている。熟成部３ａに貯留された曝気処理流体は、ポンプ３４により隔壁３７によって隔てられた熟成部３ｂに送出される。
ポンプ３５は、ポンプ部３５ａとパイプ３５ｂから構成され、パイプ３５ｂの片方の端部はポンプ部３５ａに接続され、もう片方の端部は箱体３０外部に導出されて後述する熟成槽４から導出されているパイプ４０に接続されている。これにより熟成部３ｂに貯留されている曝気処理流体は、熟成槽４に送出される。
【００５６】
加熱装置３６は、入力パイプ３６ａ、加熱パイプ３６ｂ、出力パイプ３６ｃから構成され、加熱パイプ３６ｂは、箱体３０底部に張り巡らされており、その片方の端部は入力パイプ３６ａに、もう片方の端部は出力パイプ３６ｃに接続されている。入力パイプ３６ａは、片方の端部は加熱パイプ３６ｂに接続され、もう片方の端部は箱体３０外部に導出されて後述する制御装置７の流体出力口６６に接続されている。出力パイプ３６ｃは、片方の端部は加熱パイプ３６ｂに接続され、もう片方の端部は箱体３０外部に導出されて後述する制御装置７の流体入力口６７に接続されている。これにより、第１熟成槽３内部の曝気処理流体を加熱することができる。
隔壁３７は、板状の形状を有し、箱体３０内部を熟成部３ａと３ｂに仕切っている。
【００５７】
上述したパイプ３１、散水部３２、空気供給装置３３、ポンプ３４、３５、加熱パイプ３６、隔壁３７および保温材３８は、公知の材料から構成されている。
【００５８】
次に、第２熟成槽４について説明する。第２熟成槽４は、前述した第１熟成槽３と同等の構成をなしており、同じ機能を有するものには同じ名称を用いており、したがって説明は適宜省略する。
【００５９】
図７に示すようにパイプ４０は、片方の端部は熟成槽４ａ上部に接続され、もう片方の端部は箱体３９の外部に導出されてパイプ３５ｂに接続されている。熟成部３ｂに貯留された曝気処理液は、パイプ４０を経由して熟成槽４ａに送出される。
ポンプ４４は、ポンプ部４４ａとパイプ４４ｂから構成され、熟成部４ｂ底部に配設されている。パイプ４４ｂは、片方の端部はポンプ部４４ａに接続され、もう片方の端部は図１に示すように箱体３９外部に導出されて後述する前貯留槽５から導出されているパイプ４９および外部貯留槽６から導出されているパイプ５９に接続されている。熟成部４ｂに貯留された曝気処理液は、前貯留槽５もしくは外部貯留槽６に送出される。
【００６０】
第２熟成槽を構成する全ての要素は、公知の材料で構成されている。
【００６１】
上述した第１熟成槽３、第２熟成槽４は、第１曝気処理槽１および第２曝気処理槽２において所定の特性を有するよう曝気処理が施された曝気処理液を、空気供給装置により空気を供給しかつ補助的に曝気処理を行うことよって、所定の特性を有した状態のままで貯留する。
【００６２】
次に、前貯留槽５について説明する。図８に示すように箱体４８は、隔壁５５、５６により前貯留部５ａ、５ｂ、５ｃに糞尿流体がそれぞれの前貯留部を移動可能なように仕切られている。前貯留部５ａ上部にはパイプ４９と投入口５０が、前貯留部５ａ底部にはミキサ５１が設置されており、前貯留部５ｃ底部にはポンプ５３が配設されている。また、前貯留部５ａ、５ｂおよび５ｃそれぞれの上部には、散水部５２が配設されている。箱体４８の外部は、保温材５７により被覆されている。
【００６３】
箱体４８は、箱状で、その内部を図８で示すように隔壁５５、５６により前貯留部５ａ、５ｂ、５ｃに仕切られ、箱体１０、２１、３０、３９と同様にステンレスから構成されている。
【００６４】
パイプ４９は、片方の端部は前貯留部５ａ上部に接続され、もう片方の端部は図１に示すように箱体４８の外部に導出されてパイプ４４ｂに接続されている。これにより、熟成部４ｂに貯留されている曝気処理流体を前貯留部５ａに送出することができる。
投入口５０は、前貯留部５ａ上部に形成され、ここから固液分離された糞尿流体が前貯留槽５に投入される。
ミキサ５１は、前貯留部５ａに設置され前貯留槽５内の糞尿流体を攪拌する。
散水部５２は、筒の形状を有し、その表面に複数の散水ノズル５２ａが形成され、箱体４８内部の上方に配設されている。これにより前貯留槽５内部に発生した泡を効果的に消泡することができる。また、この散水部５２は、前貯留槽５内部の糞尿流体に水等の流体を供給することにより、糞尿流体の攪拌を容易にする。散水部５２の一端は、箱体４８の外部に導出され、後述する制御装置７の流体供給口６８に接続されている。
【００６５】
ポンプ５３は、ポンプ部５３ａとパイプ５３ｂから構成され、パイプ５３ｂは、片方の端部はポンプ部５３ａに接続され、もう片方の端部は図１に示すように箱体４８外部に導出されてパイプ１１ａに接続されている。これにより、前貯留槽５に投入された糞尿流体は、第１曝気処理槽１に送出される。
【００６６】
加熱装置５４は、前述した加熱装置３６、４５と同等の構成を有する。この加熱装置５４により前貯留槽５内部の糞尿流体を加熱することができる。
【００６７】
隔壁５５、５６は、板状の形状を有し、箱体４８を前貯留部５ａ、５ｂ、５ｃに仕切る。この隔壁５５、５６には、糞尿流体が前貯留部５ａ、５ｂ、５ｃのそれぞれの間を移動できるように、複数の孔５５ａ、５６ａが形成されいる。
なお、本実施の形態において前貯留槽５には隔壁が隔壁５５、５６と２個設けられているが、隔壁の数量はこれに限定されず適宜自由に変更することができる。また、隔壁５５、５６に設けられた孔５５ａ、５５ｂの数量および形状等も必要に応じて変形、変更することができる。
【００６８】
上述したパイプ４９、投入口５０、ミキサ５１、散水部５２、ポンプ５３、加熱装置５４、隔壁５５、５６および保温材５７は、公知の材料から構成される。
【００６９】
なお、外部貯留槽６は、図１に示すように筒体５８、パイプ５９および空気供給装置６０から構成されている。パイプ５９は、片方の端部は筒体５８上部に接続されており、もう片方の端部はパイプ４４ｂに接続されている。空気供給装置６０は、空気供給部６０ａとパイプ６０ｂから構成され、パイプ６０ｂは、片方の端部は空気供給部６０ａに接続され、もう片方の端部は後述する制御装置７の空気供給口６５に接続されている。
上述した筒体５８、パイプ５９および空気供給装置６０は、それぞれ公知の材料から構成される。
【００７０】
次に、制御装置７について説明する。図１に示すように制御装置７は、コンプレッサー６１、タンク６２、ボイラー６３、制御盤６４、空気供給口６５、流体出力口６６、流体入力口６７、流体供給口６８から構成されている。この制御装置７は、本発明の糞尿処理装置の動作およびこれに付随する制御全般を司る。
コンプレッサー６１、タンク６２、ボイラー６３は公知の材料から構成される。
【００７１】
空気供給口６５は、空気供給装置１６、パイプ２４ｂ、空気供給装置３３、空気供給装置４２に接続されており、制御盤６４の指示に基づいてそれぞれにコンプレッサー７ａから空気を供給する。
流体出力口６６は、パイプ１８ｂ、２７ｃ、３６ａ、４５ａ、５４ａに接続されており、制御盤６４の指示に基づいてそれぞれにボイラー６３等により加熱した水や不凍液等の流体を出力する。
流体入力口６７は、パイプ１８ｃ、２７ｄ、３６ｃ、４５ｃ、５４ｃに接続されており、制御盤６４の指示に基づいてそれぞれから流体出力口６６が出力した水や不凍液等を回収する。
流体供給口６８は、散水部２３、散水部３２、４１、５２に接続されており、制御盤６４の指示に基づいてそれぞれに水等の流体を供給する。
【００７２】
制御盤６４は、モーター１１ｅ、曝気レータ１５、ポンプ１７、曝気処理手段２４、ポンプ２５、ポンプ２６、ポンプ３４、３５、４３、４４、ミキサ５１、ポンプ５３と電気的に接続され、それぞれの動作の制御を行う。また、制御盤６４は、パイプ１１ａとパイプ１７ｂ、パイプ１１ａと５３ｂ、パイプ１１ｂとパイプ２６ｂ、パイプ２６ｂとパイプ３１、パイプ４４ｂとパイプ４９、パイプ４４ｂとパイプ５９を接続するのにそれぞれバルブ６９、７０、７１、７２、７３、７４が設けられているが、これらのバルブと電気的に接続され、それぞれの動作の制御を行う。
また、制御盤６４は、コンプレッサー６１、タンク６２、ボイラー６３の制御も行う。
なお、制御盤６４およびバルブ６９、７０、７１、７２、７３、７４は公知の材料から構成されている。
【００７３】
制御装置７は、上述したような構成を有することにより、本発明の曝気処理装置において行われる糞尿流体の曝気処理に関する全ての動作を制御することができる。
【００７４】
次に、本発明の糞尿処理装置の動作について説明する。
家畜が排泄した糞尿は、一般に用いられている固液分離装置により、固体成分と液体成分に分離される。次いで液体成分（糞尿流体）は、前貯留槽５の上部に設けられている投入口５０より箱体４８内部の前貯留部５ａに投入される。
【００７５】
前貯留部５ａに投入された糞尿流体は、固液分離されたばかりであるため、糞尿流体中に残留固形物が混じっていて、粘性が高い。そこで、前貯留部５ａに投入した糞尿流体を、ミキサ５１で攪拌する。このようにすると、糞尿流体は、糞尿流体中の液体成分と残留固液物が攪拌されて粘性が低くなり、後の曝気処理が効果的に行われる。
また、隔壁５５、５６が孔５５ａ、５６ａを有しているので、糞尿流体は、ミキサ５１で攪拌されるときに孔５５ａ、５６ａを通過し、前貯留部５ａ、前貯留部５ｂおよび前貯留部５ｃの間を移動することにより効果的に攪拌される。
【００７６】
糞尿流体を前貯留槽５に投入したときや糞尿流体をミキサ５１で攪拌したときなどに箱体４８内部に発生した泡は、散水部５２の散水ノズル５２ａ放出される水等の流体により効果的に消される。また、散水部５２により放出される水等の流体は、糞尿流体の攪拌を容易にする。
【００７７】
上述したように前貯留槽５に投入されてミキサ５１により攪拌された糞尿流体は、ポンプ５３により、パイプ５３ｂおよびパイプ１１ａを経由して、第１曝気処理槽１の糞尿流体拡散部１１に送出される。
【００７８】
前貯留槽５から送出された糞尿流体は、糞尿流体拡散部１１のパイプ１１ａから引き込み管１１ｃ内部を通り、引き込み管１１ｃの下端部から回転板１１ｄに向けて放出される。モーター１１ｅにより回転させられている回転板１１に衝突した糞尿流体は、曝気処理部１ａ内部に効果的に拡散する。これにより、第１曝気処理槽１内部に放出された糞尿流体が１ヶ所に堆積してしまうのを防ぐことができ、糞尿流体全体が効果的に曝気処理される。
【００７９】
糞尿流体拡散部１１により曝気処理部１ａ内部に拡散された糞尿流体は、曝気処理部１ａ底部に貯留し、曝気レータ１５により曝気処理が行われる。このとき、空気供給装置１６により補助的に空気が糞尿流体中に供給されることにより、糞尿流体の曝気処理の効率が向上する。
【００８０】
糞尿流体に曝気処理を施すと、糞尿流体は大量の泡を発生する。この泡は、糞尿流体出力部１２、１３の筒状ガイド部１２ａ、１３ａを通って消泡部１２ｂ、１３ｂに達し、この消泡部１２ｂ、１３ｂにより消泡されて液体（第１曝気処理液）となり、出口部１２ｄ、１３ｄを通ってパイプ１２ｇ、１３ｇを経由し、第２曝気処理槽２に出力される。
この際に、車輪１２ｈ、１３ｈによって回動可能なように取り付けられた消泡部１２ｂ、１３ｂは、消泡部１２ｂ、１３ｂに向かって発生する泡の圧力により回転して効果的に消泡する。
【００８１】
曝気処理部１ａ底部に溜まっている糞尿流体は、隔壁９の孔１９ａを通過して出力部１ｂに侵入する。この出力部１ｂに侵入した糞尿流体は、ポンプ１７によりパイプ１７ｂを経由してパイプ１１ａを通り、再び糞尿流体拡散部１１に送られ、曝気処理部１ａ内部に拡散される。これにより、糞尿流体全体が効果的に曝気処理される。
なお、箱体１０は、底部に断面が上方に向かって開放するテーパをもった溝を有し、この溝の底部にポンプ１７が配設されている。これにより、ポンプ１７は、箱体１０底部に溜まった粘性の高い糞尿流体を選択的に糞尿流体拡散部１１に送出することができる。
【００８２】
パイプ１２ｇ、１３ｇから第２曝気処理槽２の曝気処理部２ａへ送出された第１曝気処理液は、曝気処理手段２４により曝気処理が施される。
この曝気処理によって第１曝気処理液から発生した泡は、糞尿流体出力部２２の筒状ガイド部２２ａを通って消泡部２２ｂに達し、この消泡部２２ｂにより消泡されて液体（第２曝気処理液）となり、出口部２２ｄを通ってパイプ２２ｇから出力部２ｂに送出される。
また、糞尿流体出力部２２から出力部２ｂに送出されず、曝気処理部２ａに溜まった第２曝気処理液は、ポンプ２５により出力部２ｂに送出される。
【００８３】
出力部２ｂに貯留された第２曝気処理液は、必要に応じて加熱装置２７で加熱される。これにより、第２曝気処理液中の菌の死滅を防ぐことができる。
そして、出力部２ｂに貯留された第２曝気処理液は、ポンプ２６により第１熟成槽に送出される。
必要に応じて第２曝気処理液は、ポンプ２６により第１曝気処理槽に送出される。これにより本発明の糞尿処理装置は、投入される糞尿流体の量が少ない場合でも常に曝気処理槽で処理する糞尿流体を確保でき、糞尿流体中の菌の死滅を防ぐことができる。
制御装置７は、バルブ７１およびバルブ７２を制御して、第２曝気処理液を第１曝気処理槽あるいは第１熟成槽のどちらに送出するか決定する。
【００８４】
ポンプ２６によりパイプ２６ｂおよびパイプ３１を経由して第１熟成槽に送出された第２曝気処理液は、熟成部３ａに貯留される。熟成部３ａに貯留された第２曝気処理液は、必要に応じて空気供給装置３３により空気を供給することにより、第２曝気処理液中の菌が死滅を防ぎかつ第２曝気処理液が有する所定の特性有した状態に維持することができる。
【００８５】
所定の期間熟成部３ａに貯留された第２曝気処理液は、ポンプ３４により熟成部３ｂに送出される。熟成部３ｂに送出された第２曝気処理液は、熟成部３ｂにおいて熟成部３ａと同様に所定の特性を有した状態で貯留され、第２熟成槽の熟成部４ａに送出される。以下同様に熟成部４ａおよび４ｂにおいても熟成部３ａと同様に貯留されて、最終的に第２曝気処理液は、所定の特性を有した状態で熟成部４ｂから出力され、液肥として耕種作物の栽培に用いる。
【００８６】
熟成部４ｂから出力される第２曝気処理液は、外部貯留槽６に貯留することもできる。
また、必要に応じて第２曝気処理液は、ポンプ４４により前貯留槽５に送出される。これにより前貯留槽５は、投入される糞尿流体の量が少ない場合でも常に糞尿流体を確保でき、糞尿流体中の菌の死滅を防ぐことができる。
制御装置７は、バルブ７３および７４を制御して、第２曝気処理液を前貯留槽５あるいは外部貯留槽６のどちらに送出するかを決定する。
【００８７】
本実施の形態において糞尿流体拡散部１１は、回転板１１ｄの下面に突起等の消泡部材を設けることができる。これにより、第１曝気処理槽１内に発生した泡を効果的に消すことができる。消泡部材の形状および数量は、必要に応じて自由に変形、変更できる。
また、糞尿流体拡散部１１は、回転板１１ｄの下面に糞尿流体中にまで延びた攪拌棒等の攪拌部材を設けることができる。これにより、第１曝気処理槽内の糞尿流体は効果的に攪拌され、効率的に曝気処理が施される。なお、攪拌部材の形状および数量は、必要に応じて自由に変形、変更ができる。
【００８８】
第１曝気処理槽１、第１熟成槽３、第２熟成槽４および前貯留槽５の底部には加熱流路１８および加熱装置３６、４５、５４が設けられている。これにより寒冷下においてでも糞尿流体の曝気処理が効果的に行われる。
また、第２曝気処理槽２には出力部２ｂに加熱装置が設けられているが、加熱装置を設置する場所はこれに限定されず、必要に応じて自由に変更することができる。同様に第１曝気処理槽１、第１熟成槽３、第２熟成槽４および前貯留槽５の加熱流路１８および加熱装置３６、４５、５４を設置場所、形状および数量も必要に応じて変形、変更することができる。
さらに本実施の形態において加熱流路１８および加熱装置３６、４５，５４は、加熱した流体により糞尿流体を加熱するが、加熱する方法はこれに限定されず、例えば電気・化学的に絶縁された公知の電気ヒータ等を用いてもよく、必要に応じて自由に変更することができる。
上述した加熱流路１８および加熱装置３６，４５，５４は、制御装置７により選択的に制御される。
【００８９】
第１曝気処理槽１、第２曝気処理槽２、第１熟成槽３、第２熟成槽４、前貯留槽５は、それぞれの外部のほぼ全面を保温材２０、２９、３８、４７、５７が被覆している。これにより寒冷下においてでも糞尿流体の曝気処理を効果的に行うことができる。
【００９０】
第２曝気処理槽２、第１熟成槽３、第２熟成槽４および前貯留槽５において発生した泡は、必要に応じてそれぞれが有する散水部２３、３２、４１、５２により消泡される。
また、散水部２３、３２、４１、５２の数量および形状等はこれに限定されず適宜自由に変形、変更することができる。
さらに、第１曝気処理槽１および外部貯留槽６にも散水部を設けることができる。
本実施の形態において糞尿処理装置内部に発生した泡を消す手段は、本実施の形態で示したようなシャワー等の手段に限定されない。
散水部から出力される流体は、制御装置７のボイラー６３によって加熱することもできる。これにより外部環境が低温という状況においてでも、糞尿流体を効果的に曝気処理できる。
【００９１】
本実施の形態において空気供給装置１６、３３、４２、６０の数量および形状等はこれに限定されず、必要に応じて自由に変形、変更することができる。
また、空気供給装置は、第２曝気処理槽２および前貯留槽５にも設けることができる。
【００９２】
本実施の形態において第１曝気処理槽１、第２曝気処理槽２、第１熟成槽３、第２熟成槽４、前貯留槽５は内部が隔壁により仕切られているが、この隔壁の数量は限定されず適宜自由に変更することができる。
【００９３】
本発明の糞尿処理装置は、第１曝気処理槽１、第２曝気処理槽２、第１熟成槽３、第２熟成槽４、前貯留槽５のそれぞれがステンレスユニット構造体によって構成されている。これにより、各ユニットを予め工場で作っておき、設置現場では、このユニットの設置と各ユニット間の接続を行うだけでよく、工期を従来工法よりよりも格段に短くすることが可能となる。
【００９４】
本実施の形態は、第１曝気処理槽１、第２曝気処理槽２、第１熟成槽３、第２熟成槽４、前貯留槽５、外部貯留槽６から構成されたが、処理槽の数および容量、糞尿処理の曝気処理の順番およびそれぞれの槽のレイアウト等はこれに限定されず、必要に応じて自由に変形、変更することができる。
【００９５】
【実施例】
本発明の糞尿処理装置において、搾乳牛１００頭の糞尿処理を行うとすると、１日につき搾乳牛は１頭あたり６０ｋｇの糞尿（内訳は糞４０ｋｇ、尿２０ｋｇ）を排出し、この糞尿を固液分離装置で固液分離すると搾乳牛１頭あたり５０ｋｇの糞尿流体が得られるので、搾乳牛１００頭では１日につき５ｔ（５ｍ3）の糞尿流体が排出されることになる。この実施例において、第１曝気処理槽１、第２曝気処理槽２、第１熟成槽３、第２熟成槽４および前貯留槽５それぞれの容量を１５ｍ3と設定し、第１曝気処理槽１および第２曝気処理槽２では１日分の糞尿流体を３日間曝気処理を行い、第１熟成槽３および第２熟成槽４では１日分の糞尿流体を２日間曝気処理を行うとする。このような設定おいて、第１曝気処理槽１、第２曝気処理槽２、第１熟成槽３、第２熟成槽４および前貯留槽５それぞれが１日に５ｍ3ずつ糞尿流体を次段階処理槽に移行することにより、結果として１０日間という短期間で１日分の糞尿流体の曝気処理が完了する。
上述したように最初に前貯留槽５に投入した糞尿流体を第１曝気処理槽に送出してから１０日以降は、毎日５ｍ3の糞尿流体を前貯留槽５に投入すると、毎日５ｍ3の曝気処理液が第２熟成槽から出力されて外部貯留槽６に貯留されることになり、糞尿処理を連続的に行うことができる。
【００９６】
【発明の効果】
以上説明したことから明らかなように本発明によれば、曝気処理槽内底部に曝気レータと空気供給装置を配置し、曝気処理槽上部に糞尿流体拡散部と糞尿流体出力部を設けることにより、糞尿流体の曝気処理が効率よく行うことができる。
【図面の簡単な説明】
【図１】  本発明における糞尿処理装置の概略図である。
【図２】  図１におけるII−II線断面図である。
【図３】  図１におけるIII−III線断面図である。
【図４】  糞尿流体出力部１２の拡大図である。
【図５】  図１におけるV−V線断面図である。
【図６】  図１におけるVI−VI線断面図である。
【図７】  図１におけるVII−VII線断面図である。
【図８】  図１におけるVIII−VIII線断面図である。
【図９】  図１におけるIX−IX線断面図である。
【符号の説明】
１…第１曝気処理槽、１ａ…曝気処理部、１ｂ…出力部、２…第２曝気処理槽、２ａ…曝気処理部、２ｂ…出力部、３…第１熟成槽、３ａ…熟成部、３ｂ…熟成部、４…第２熟成槽、４ａ…熟成部、４ｂ…熟成部、５…前貯留槽、５ａ…前貯留部、５ｂ…前貯留部、５ｃ…前貯留部、６…外部貯留槽、７…制御装置、１０…箱体、１１…糞尿流体拡散部、１１ａ…パイプ、１１ｂ…パイプ、１１ｃ…引き込み管、１１ｄ…回転板、１１ｅ…モーター、１１ｆ…外囲器、１１ｇ…軸、１２…糞尿流体出力部、１２ａ…筒状ガイド部、１２ｂ…上端部、１２ｃ…消泡部、１２ｄ…出口部、１２ｅ…ガス出力部、１２ｆ…ガス排気口、１２ｇ…パイプ、１２ｈ…車輪、１３…糞尿流体出力部、１３ａ…筒状ガイド部、１３ｂ…上端部、１３ｃ…消泡部、１３ｄ…出口部、１３ｅ…ガス出力部、１３ｆ…ガス排気口、１３ｇ…パイプ、１４…点検ハッチ、１５…曝気レータ、１６…空気供給装置、１６ａ…空気供給口、１７…ポンプ、１７ａ…ポンプ部、１７ｂ…パイプ、１８…加熱流路、１８ａ…流路、１８ｂ…入力パイプ、１８ｃ…出力パイプ、１９…隔壁、１９ａ…孔、１９ｂ…通気孔、２０…保温材、２１…箱体、２２…糞尿流体出力部、２２ａ…筒状ガイド部、２２ｂ…上端部、２２ｃ…消泡部、２２ｄ…出口部、２２ｅ…ガス出力部、２２ｆ…ガス排気口、２２ｇ…パイプ、２３…散水部、２３ａ…散水ノズル、２４…曝気処理手段、２４ａ…曝気レータ、２４ｂ…パイプ、２５…ポンプ、２５ａ…ポンプ部、２５ｂ…パイプ、２６…ポンプ、２６ａ…ポンプ部、２６ｂ…パイプ、２７…加熱装置、２７ａ…外囲器、２７ｂ…パイプ、２７ｃ…入力パイプ、２７ｄ…出力パイプ、２８…隔壁、２９…保温材、３０…箱体、３１…パイプ、３２…散水部、３２ａ…散水ノズル、３３…空気供給装置、３３ａ…空気供給口、３４…ポンプ、３４ａ…ポンプ部、３４ｂ…パイプ、３５…ポンプ、３５ａ…ポンプ部、３５ｂ…パイプ、３６…加熱装置、３６ａ…入力パイプ、３６ｂ…加熱パイプ、３６ｃ…出力パイプ、３７…隔壁、３８…保温材、３９…箱体、４０…パイプ、４１…散水部、４１ａ…散水ノズル、４２…空気供給装置、４２ａ…空気供給口、４３…ポンプ、４３ａ…ポンプ部、４３ｂ…パイプ、４４…ポンプ、４４ａ…ポンプ部、４４ｂ…パイプ、４５…加熱装置、４５ａ…入力パイプ、４５ｂ…加熱パイプ、４５ｃ…出力パイプ、４６…隔壁、４７…保温材、４８…箱体、４９…パイプ、５０…投入口、５１…ミキサ、５２…散水部、５２ａ…散水ノズル、５３…ポンプ、５３ａ…ポンプ部、５３ｂ…パイプ、５４…加熱装置、５４ａ…入力パイプ、５４ｂ…加熱パイプ、５４ｃ…出力パイプ、５５…隔壁、５５ａ…孔、５６…隔壁、５６ａ…孔、５７…保温材、５８…筒体、５９…パイプ、６０…空気供給装置、６０ａ…空気供給部、６０ｂ…パイプ、６１…コンプレッサー、６２…タンク、６３…ボイラー、６４…制御盤、６５…空気供給口、６６…流体出力口、６７…流体入力口、６８…流体供給口、６９…バルブ、７０…バルブ、７１…バルブ、７２…バルブ、７３…バルブ、７４…バルブ。
【図１】
0004772230.tif 000002
【図２】
0004772230.tif 000003
【図３】
0004772230.tif 000004
【図４】
0004772230.tif 000005
【図５】
0004772230.tif 000006
【図６】
0004772230.tif 000007
【図７】
0004772230.tif 000008
【図８】
0004772230.tif 000009
【図９】
0004772230.tif 000010